(57)【特許請求の範囲】
【請求項１】
電子番組ガイドデータを、所定の供給源から受信側に送る際に、
中継器を含む送出施設と前記受信側が視聴可能な地域との関係を記述した第１のテーブルと、前記中継器を含む送出施設と供給源との関係を記述した第２のテーブルを、前記電子番組ガイドデータに含む、
ことを特徴とする情報供給方法。
【請求項２】
前記電子番組ガイドデータを、地上波放送、放送衛星又は通信衛星を用いた衛星放送、ケーブルテレビジョンのいずれかを利用して前記受信側へ送る、
請求項１に記載の情報供給方法。
【請求項３】
前記第２のテーブルの前記供給源の送信周波数と送信チャンネル番号の少なくとも一方の情報を、前記電子番組ガイドデータにさらに含む、
請求項１又は２に記載の情報供給方法。
【請求項４】
少なくとも前記供給源と該供給源の名称との関係を記述した第３のテーブルを、前記電子番組ガイドデータにさらに含む、
請求項１又は２に記載の情報供給方法。
【請求項５】
電子番組ガイドデータを生成するとともに、中継器を含む送出施設と受信側が視聴可能な地域との関係を記述した第１のテーブルと、前記中継器を含む送出施設と供給源との関係を記述した第２のテーブルを生成する生成手段と、
前記電子番組ガイドデータとともに前記第１のテーブル及び前記第２のテーブルを、前記受信側に送出する送出手段と、
を備えることを特徴とする電子番組ガイド送出装置。
【請求項６】
前記生成手段は、前記第２のテーブルの前記供給源の送信周波数と送信チャンネル番号の少なくとも一方の情報を生成し、
前記送出手段が、前記供給源の送信周波数と送信チャンネル番号の少なくとも一方の情報を、前記電子番組ガイドデータにさらに含めて送出する、
請求項５に記載の電子番組ガイド送出装置。
【請求項７】
前記生成手段は、少なくとも前記供給源と該供給源の名称との関係を記述した第３のテーブルを作成し、
前記送出手段が、前記供給源と該供給源の名称との関係を記述した第３のテーブルを、前記電子番組ガイドデータとともに前記受信側に送出する、
請求項５に記載の電子番組ガイド送出装置。
【請求項８】
電子番組ガイドデータとともに、中継器を含む送出施設と受信側が視聴可能な地域との関係を記述した第１のテーブルと、前記中継器を含む前記送出施設と供給源との関係を記述した第２のテーブルを、所定の供給源より受信する受信手段と、
前記受信側の視聴地域を特定する情報を入力するための入力手段
と、
前記入力手段より入力された前記視聴地域を特定する情報に基づいて前記第１のテーブルから利用可能な送出施設を選択する選択手段と、
前記選択手段により選択された前記送出施設に対応した供給源を前記第２のテーブルから読み出し、当該読み出した供給源の電子番組ガイドデータを含む表示データを生成する表示データ生成手段と、
を備えることを特徴とする受信装置。
【請求項９】
前記読み出された供給源の電子番組ガイドデータの表示データに、前記視聴地域に対応した前記中継器を含む送出施設が含まれる第１のテーブルと、前記第１のテーブルの前記中継器を含む送出施設に対応した供給源が含まれる第２のテーブルを含む、
請求項８に記載の受信装置。
【請求項１０】
前記受信手段は、前記供給源が送出する前記電子番組ガイドデータとともに、前記第２のテーブルの前記供給源の送信周波数と送信チャンネル番号の少なくとも一方の情報をさらに受信し、
前記表示データ生成手段は、前記供給源の送信周波数と送信チャンネル番号の少なくとも一方の情報を、前記電子番組ガイドデータを含む表示データに含める、
請求項８に記載の受信装置。
【請求項１１】
前記受信手段は、前記供給源が送出する前記電子番組ガイドデータとともに、少なくとも前記供給源と該供給源の名称との関係を記述した第３のテーブルをさらに受信し、
前記表示データ生成手段は、前記供給源と該供給源の名称との関係を記述した第３のテーブルを、前記電子番組ガイドデータを含む表示データに含める、
請求項８に記載の受信装置。
【請求項１２】
電子番組ガイドデータとともに、中継器を含む送出施設と受信側が視聴可能な地域との関係を記述した第１のテーブルと、前記中継器を含む前記送出施設と供給源との関係を記述した第２のテーブルを、所定の供給源より受信するステップと、
前記受信側の視聴地域を特定する情報の入力を受け付けるステップと、
前記入力された前記視聴地域を特定する情報に基づいて前記第１のテーブルから利用可能な送出施設を選択するステップと、
前記選択された前記送出施設に対応した供給源を前記第２のテーブルから読み出し、当該読み出した供給源の電子番組ガイドデータを含む表示データを生成するステップと、
を含むことを特徴とする受信方法。
【請求項１３】
前記読み出された供給源の電子番組ガイドデータの表示データに、前記視聴地域に対応した前記中継器を含む送出施設を含む第１のテーブルと、前記第１のテーブルの前記中継器を含む送出施設に対応した供給源を含む第２のテーブルが含まれる、
請求項１２に記載の受信方法。
【請求項１４】
前記供給源が送出する前記電子番組ガイドデータとともに、前記第２のテーブルの前記供給源の送信周波数と送信チャンネル番号の少なくとも一方の情報をさらに受信し、
前記供給源の送信周波数と送信チャンネル番号の少なくとも一方の情報を、前記電子番組ガイドデータを含む表示データに含める、
請求項１２に記載の受信方法。
【請求項１５】
前記供給源が送出する前記電子番組ガイドデータとともに、少なくとも前記供給源と該供給源の名称との関係を記述した第３のテーブルをさらに受信し、
前記供給源と該供給源の名称との関係を記述した第３のテーブルを、前記電子番組ガイドデータを含む表示データに含める、
請求項１２に記載の受信方法。
【発明の詳細な説明】
【０００１】
【発明の属する技術分野】
本発明は、放送波に関する情報供給方法と放送波を受信する受信装置に関するものである。
【０００２】
【従来の技術】
近年、放送衛星、通信衛星などの人工衛星を介してテレビジョン放送信号（放送波）をデジタル化して伝送し、各家庭において、これを受信するシステムが運用されている。このシステムにおいては、例えば、多数のチャンネルを確保する事が可能であるため、極めて多くの種類の番組を放送することができる。
このようなシステムにおいては、伝送可能な番組の数が増えるため、所望の番組を選択するための電子番組ガイド（ＥＰＧ：Ｅｌｅｃｔｒｏｎｉｃ  Ｐｒｏｇｒａｍ  Ｇｕｉｄｅ）を番組とともに伝送し、これをモニタ装置において表示し、ユーザ（視聴者）は表示された電子番組ガイドを用いて、所望の番組を選択することが可能である。ユーザが、ディスプレイ上でＧＵＩ（ＧｒａｐｈｉｃａｌＵｓｅｒ  Ｉｎｔｅｒｆａｃｅ）を用いて、表示された電子番組ガイドに従って、所望の番組を迅速かつ適格に把握し、選択できるようにすることが出来る。
【０００３】
このような放送波を伝送する方式としては、たとえば放送衛星や通信衛星を用いた衛星放送波や、ＣＡＴＶ（ケーブルテレビジョン）放送波等の供給形態がある。
ところで、たとえばＤＶＢ−ＳＩ（Ｄｉｇｉｔａｌ  Ｖｉｄｅｏ  Ｂｒｏａｄｃａｓｔｉｎｇ  Ｓｅｖｉｃｅ  Ｉｎｆｏｒｍａｔｉｏｎ）等と呼ばれる電子番組表（ＥＰＧ）が提案されている。このようなＥＰＧは、ネットワーク情報として、ネットワークの種類、衛星の中継器（トランスポンダ）、サービス野情報しか載っていない。
【０００４】
【発明が解決しようとする課題】
一方、地上波のＥＰＧは、ネットワーク情報として、ネットワークの種類、系列、サービス、中継器というルートになっている。このように前者の衛星放送波を用いたＥＰＧのネットワーク情報と、地上波を用いたＥＰＧのネットワーク情報とは、記述の仕方が全く合っていない。
【０００５】
ＤＶＢ−ＳＩ等のＥＰＧは、デジタル衛星放送を想定したもので、地上波は現在アナログ放送である。しかし、アナログ放送においても、ＥＰＧの需要は高まることが予想される。なぜならば、放送番組数の増加や送信チャンネル数の増加あるいはその系列数あるいはネットワーク数の増加等が予想されるからである。将来このようなアナログ放送で放送しているネットワークが、デジタル化された場合であっても、そのネットワーク形態はそのまま残る可能性がある。
そこで本発明は上記課題を解消し、放送波に関する電子番組ガイドを、放送内容供給源から放送内容受信側に送る際に、放送波が送られてくる関連情報を確実に得て、その地域に合った電子番組ガイドを得ることができる放送波に関する情報供給方法と、放送波を受信する受信装置を提供することを目的としている。
【０００６】
【課題を解決するための手段】
上記目的は、本発明にあっては、電子番組ガイドを、所定の供給源から受信側に送る際に、中継器を含む送出施設と受信側が視聴可能な地域との関係を記述した第１のテーブルと、中継器を含む送出施設と供給源との関係を記述した第２のテーブルを、電子番組ガイドデータに含む、ことを特徴とする放送波に関する情報供給方法により、達成される。本発明では、電子番組ガイドを、所定の供給源から受信側に送る際に、中継器を含む送出施設と受信側が視聴可能な地域との関係を記述した第１のテーブルと、中継器を含む送出施設と供給源との関係を記述した第２のテーブルを、電子番組ガイドデータに含ませている。これにより、受信側では、電子番組ガイドに付加されたこれらのテーブルによって当該受信側の視聴可能な地域内にある中継器を含む送出施設を確認し、さらに中継器を含む送出施設と供給源との関係をテーブルによって明確に知ることができる。
【０００７】
本発明において、好ましくは電子番組ガイドデータを、地上波放送、放送衛星又は通信衛星を用いた衛星放送、ケーブルテレビジョンのいずれかを利用して受信側へ送る、ことを特徴とする。これにより、受信側に対して複数の供給源から上記第１のテーブルと第２のテーブルを供給することができる。
【０００８】
また本発明において、第２のテーブルの供給源の送信周波数と送信チャンネル番号の少なくとも一方の情報を、電子番組ガイドデータにさらに含む、ことを特徴とする。これにより、放送波が送られてくる関連情報を、テーブルによって受信側に明らかにすることができる。本発明において、さらに好ましくはテーブルには、放送波の中継器を含む放送波の送出施設の場所を表わす情報をさらに含むようにした場合、テーブルを見れば受信側はさらに多くの放送波に関する情報を得ることができる。
【０００９】
また本発明において、少なくとも供給源と該供給源の名称との関係を記述した第３のテーブルを、電子番組ガイドデータにさらに含む、ことを特徴とする。これにより、テーブルを見れば受信側は供給源と名称との関係を確認でき、さらに多くの放送波に関する情報を得ることができる。
【００１０】
上記目的は、本発明にあっては、電子番組ガイドデータを生成するとともに、中継器を含む送出施設と受信側が視聴可能な地域との関係を記述した第１のテーブルと、中継器を含む送出施設と供給源との関係を記述した第２のテーブルを生成する生成手段と、電子番組ガイドデータとともに第１のテーブル及び第２のテーブルを、受信側に送出する送出手段と、を備えることを特徴とする電子番組ガイド送出装置により、達成される。これにより、受信側では、電子番組ガイドに付加されたこれらのテーブルによって当該受信側の視聴可能な地域内にある中継器を含む送出施設を確認し、さらに中継器を含む送出施設と供給源との関係をテーブルによって明確に知ることができる。
【００１１】
上記目的は、本発明にあっては、電子番組ガイドデータとともに、中継器を含む送出施設と受信側が視聴可能な地域との関係を記述した第１のテーブルと、中継器を含む送出施設と供給源との関係を記述した第２のテーブルを、所定の供給源より受信する受信手段と、受信側の視聴地域を特定する情報を入力するための入力手段と、入力手段より入力された視聴地域を特定する情報に基づいて第１のテーブルから利用可能な送出施設を選択する選択手段と、選択手段により選択された送出施設に対応した供給源を第２のテーブルから読み出し、当該読み出した供給源の電子番組ガイドデータを含む表示データを生成する表示データ生成手段と、を備えることを特徴とする受信装置により、達成される。これにより、電子番組ガイドに付加されたこれらのテーブルによって当該受信側の視聴可能な地域内にある中継器を含む送出施設を確認し、さらに中継器を含む送出施設と供給源との関係をテーブルによって明確に知ることができる。また視聴可能な地域にあった電子番組ガイドを表示するようにすれば、受信側はその視聴可能な地域にあった正確な電子番組ガイドを利用することができる。
【００１２】
上記目的は、本発明にあっては、電子番組ガイドデータとともに、中継器を含む送出施設と受信側が視聴可能な地域との関係を記述した第１のテーブルと、中継器を含む送出施設と供給源との関係を記述した第２のテーブルを、所定の供給源より受信するステップと、受信側の視聴地域を特定する情報の入力を受け付けるステップと、入力された視聴地域を特定する情報に基づいて第１のテーブルから利用可能な送出施設を選択するステップと、選択された送出施設に対応した供給源を第２のテーブルから読み出し、当該読み出した供給源の電子番組ガイドデータを含む表示データを生成するステップと、を含むことを特徴とする受信方法により、達成される。これにより、電子番組ガイドに付加されたこれらのテーブルによって当該受信側の視聴可能な地域内にある中継器を含む送出施設を確認し、さらに中継器を含む送出施設と供給源との関係をテーブルによって明確に知ることができる。
【００１７】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１８】
図１は、本発明の放送波に関する情報供給方法と、放送波を受信する受信装置を適応しようとする放送波の放送形態の一例を示している。図２は、図１の放送形態をブロック図化したものである。
図１は地上波放送の形態例を示しているが、地上波放送では、一箇所から電波を出しどこに居ても受信できるといったことはできない。これは電波の直進性によるもので、途中に山等の障害物がある場合には電波が届かない。地表は球面であり、距離が離れれば離れるほど、大地に邪魔されて、電波は届かなくなる。電波が届かなくなる別の理由としては、距離が離れると電波が減衰することも原因の１つである。
このために、地域毎に放送塔を設けて電波を送出している。それでも電波の届かない地域に対しては、見晴らしの良いところに中継器を置いて補完している。このために受信できる放送局や周波数は、地域毎に異なっている。
【００１９】
図１においては、放送塔Ｔに対して、たとえば３つの放送局（放送内容供給源）Ａ，Ｂ，Ｃが放送内容を供給できるようになっている。山Ｍ１，Ｍ２には、それぞれ中継器７，８が設定されている。放送塔Ｔに関しては、視聴地域ＡＲ１，ＡＲ２，ＡＲ３，ＡＲ４が一例として表示されている。
１つの放送塔Ｔは、上述した複数の放送局Ａ，Ｂ，Ｃの放送波ＢＷ（電波）を、視聴地域ＡＲ１に対しては直接、そして中継器７，８に対して送信する。視聴地域ＡＲ１は、放送塔Ｔが見える場所であるので、視聴地域ＡＲ１のアンテナＡＴは放送塔Ｔからの放送波ＢＷ（電波）を受けることができる。
【００２０】
これに対して視聴地域ＡＲ２，ＡＲ３，ＡＲ４は、放送塔Ｔに対して山Ｍ１，Ｍ２で遮られているので、放送塔Ｔは直接見えない。そこで、視聴地域ＡＲ２のアンテナＡＴは、中継器７を介して放送塔Ｔの放送波ＢＷを受信する。視聴地域ＡＲ３，ＡＲ４は、中継器８を介して放送波ＢＷを受信する。視聴地域ＡＲ３は、中継器７あるいは中継器８のいずれからも受信することができる。いずれにしても各視聴地域ＡＲ２〜ＡＲ４は、最も近い中継器を介して放送波を受けることができる。視聴地域ＡＲ３の場合には、ほぼ中継器７，８に対して同じ距離にあるので、いずれかの中継器から放送波を受信すればよい。
【００２１】
図３は、放送塔Ｔが複数になった場合の例を示しており、一方の放送塔Ｔには複数の放送局Ａ，Ｂ，Ｃの放送波を受信でき、別の放送塔Ｔは放送局Ｄ，Ｅ，Ｆの放送波を受信する。一方の放送塔Ｔは中継器７，８及び視聴地域ＡＲ１の視聴者１に対して直接放送波ＢＷを送信する。
もう１つの放送塔Ｔは、中継器９，１０に放送波ＢＷを送信する。中継器７は、視聴地域ＡＲ２の視聴者２，３と視聴地域ＡＲ３の視聴者４に放送波ＢＷを送信する。中継器８は視聴地域ＡＲ３の視聴者４と、視聴地域ＡＲ４の視聴者５，６に放送波ＢＷを送信する。中継器９は、視聴者５，６と視聴地域ＡＲ５の視聴者６Ａに放送波ＢＷを送信する。中継器１０は、視聴者６Ａと視聴地域ＡＲ６の視聴者６Ｂ，６Ｃに放送波ＢＷを送信するようになっている。
【００２２】
図４は、放送塔と、中継器及び放送局の関係等を記述したテーブルの一例である。
図４に例示する放送塔Ｔ１，Ｔ２は、放送波の送出施設であり、放送局番号の放送局は、放送内容供給源である。
放送波の送出施設である放送塔Ｔ１とＴ２にはそれぞれ対応する別の放送塔Ｔ３あるいは複数の中継器７，８等を対応して示している。そして放送塔Ｔ３や中継器７，８にはそれぞれの設置場所１２，１３，１４が記述されている。
【００２３】
放送塔Ｔ１に対応している放送塔Ｔ３あるいは中継器７，８に対応して、それぞれ放送局（放送内容供給源）の番号が記述されている。たとえば放送塔Ｔ３に対しては放送局Ａ，Ｂ，Ｃが対応し、中継器７には放送局Ａ，Ｂ，Ｃが対応する等といった要領である。そして各放送局Ａ，Ｂ，Ｃには、対応する送信チャンネル番号の覧１５が設けられている。たとえば放送局Ａには放送チャンネル番号“３０”が対応し、放送局Ｂは放送チャンネル番号“３２”、そして放送局Ｃは放送チャンネル番号“３４”が対応している。このことは、放送塔Ｔ２においても同様に記述されている。
【００２４】
このような記述方式で形成されているテーブル２０においては、各放送局の送信周波数の覧１６を各放送局に対応して記述している。
このテーブル２０は、放送波に関する電子番組ガイド（ＥＰＧ）に含まれており、テーブル２０には図１あるいは図３に示すような放送局Ａ，Ｂ，Ｃ（放送内容供給源）から、図１に示す視聴者（放送内容受信側）に送る際に、好ましくは放送波の送出施設である放送塔Ｔ１やＴ２・・・と放送内容供給源である放送局Ａ，Ｂ，Ｃ・・・等の関係が記述されている。
しかも、このテーブル２０においては、好ましくはさらに放送内容供給源である放送局Ａ，Ｂ，Ｃ・・・の送信周波数の覧１６に記載された送信周波数と、送信チャンネル番号の覧１５に記載された送信チャンネル番号の内の少なくとも一方をさらに含んでいる。
【００２５】
またＥＰＧのテーブル２０には、放送波の中継器を含む放送波の送出施設の場所１２，１３，１４等を表わす情報をさらに含むことが好ましい。
テーブル２０は、図６に示すように放送波の中継器を含む放送波の送出施設である放送塔と、放送内容受信側が視聴可能な地域（図１に示すたとえば視聴地域ＡＲ１，ＡＲ２・・・）との関係を含むようにしてもよい。
いずれにしても図４のテーブル２０は、電子番組ガイドＥＰＧに含まれており、放送塔の放送拠点番号、中継器番号、中継器場所、放送局番号、送信チャンネル番号、送信周波数等といった項目から少なくとも２つを組み合わせることが可能である。
【００２６】
ところで、たとえば図４において放送局番号がかなり多い場合であって、図４のテーブル２０では、同じ放送局が何度も記述されている。たとえば放送局Ａ，Ｂ，Ｃが何度も情報として載っている。このように直接電子番組ガイドＥＰＧにこのテーブル２０を記述してしまうとかなり情報量が増えてしまい、あるいはテーブル２０の構造が複雑になってしまう。
【００２７】
そこで、図５に示すように、放送局の詳細情報については図５のテーブル２１を電子番組ガイドＥＰＧに含ませるようにして送ることが望ましい。
図５において、テーブル２１には、放送局番号の覧２２、放送局名称の覧２３、系列の覧２４、所在地の覧２５、種類の覧２６、その他の覧２７等を有している。
放送局番号の覧２２には、放送局Ａ，Ｂ，Ｃ，Ｄ・・・が順に配列されており、放送局名称の覧２３には対応する名称が記載されている。そして放送局Ａ，Ｂ・・・がどのネットワーク放送系列に所属するかを系列の覧２４に書き込むようになっている。また所在地の覧２５には、各放送局の所在地を記載し、種類の覧２６には、電波の偏波面や電波形式（変調方法）等周波数以外に受信に必要な情報を記載する。
【００２８】
このようにすれば、各放送局に関する名称やネットワーク放送系列やあるいは所在地等の情報を図２や図３の視聴者、放送局の数が多くてもが確実に知ることができる。また図４と図５から、視聴者が放送局や送信チャンネル番号等の情報を得るには、あらかじめその視聴者が使用している受信機において中継器の番号（放送塔や中継器）が受けられるかどうかを知っておく必要がある。つまりその視聴者の居る図２や図３に示す視聴地域が、どの中継器や放送塔に対応しているのかを知っておく必要がある。それを助けるのが図６のテーブル２８である。このテーブル２８は、やはり電子番組ガイドＥＰＧに含まれており、視聴地域番号の覧２９、中継器番号の覧３０、地域名称の覧３１、郵便番号の覧３２を備えている。
この郵便番号の覧３２に代えて、電話番号の覧３３を備えるようにしても構わない。
【００２９】
視聴地域番号の覧２９には、視聴地域ＡＲ１・・・が並べて記載されている。中継器番号の覧３０には、放送塔や中継器７，８等が配列されている。地域名称の覧３１には、各視聴地域の住所が記載されている。郵便番号の覧３２には、地域名称の覧３１に記載された住所に対応する郵便番号が記載されている。郵便番号の覧３２と同時あるいはそれに代えて記載する電話番号の覧には、やはり地域名称に対応する電話番号であって、しかも視聴者の電話番号を記載することができる。
これにより、視聴者（ユーザ）は、地域名称や郵便番号あるいは電話番号を確認することで、その視聴者の属する視聴地域の選択を容易に行なうことができ、視聴者（ユーザ）の居る視聴地域にはどの放送塔あるいは中継器が対応しているのかも、簡単に中継器番号の覧３０を見ることで知ることができる。
【００３０】
図４に示すテーブル２０と図５に示すテーブル２１及び図６に示すテーブル２８を、視聴者が電子番組ガイドＥＰＧの中から見ることで、視聴者は各種の放送に関する情報を簡単に知ることができる。
【００３１】
次に、図４〜図６で示したテーブル２０，２１，２８を地上波放送に載せる場合には、たとえば図１の地上波放送のシステムを用いることができる。放送内容供給源である放送局Ａ，Ｂ，Ｃ等は、画像や音とともにテーブル２０，２１，２８を同じ伝搬路で送出することになる。つまり放送局Ａ，Ｂ，Ｃからは、放送塔Ｔを用いて放送波ＢＷを、視聴地域ＡＲ１、中継器７、中継器８に送出する。この放送波ＢＷには、放送番組の内容情報と、電子番組ガイドＥＰＧを含んでおり、この電子番組ガイドＥＰＧにはテーブル２０，２１，２８をたとえば含んでいる。このように同じ伝搬路で送る場合には、放送波ＢＷにおいて、画像や音の情報とは異なった周波数で電子番組ガイドＥＰＧを送出する。あるいは電子番組ガイドＥＰＧは、画像の凹マットの帰線区間に入れ込むか、あるいはＦＭ（周波数変調）多重や音声多重で使われるサブキャリアに載せることもできる。
デジタル放送波で映像や音声を送る場合には、図４、図５、図６に示す電子番組ガイドＥＰＧ（テーブル２０，２１，２８を含む）をストリームの中に入れ込む。
【００３２】
図７と図８は、放送波の送出装置の具体例を示している。図７の放送波の送出装置４０は、たとえば図１の放送局Ａ，Ｂ，Ｃ等に設置されているものである。放送波の送出装置４０は、デジタルで映像や音声を送る際に、違った周波数で図４、５、図６の電子番組ガイドＥＰＧ（テーブル２０，２１，２８を含む）を送る場合の構成例である。
図７において入力装置４１では、必要なデータが入力されてデータベース４２に蓄えられる。送出テーブル生成部４３は、データベース４２から送られてくるデータを読み込み、電子番組ガイドＥＰＧを作るとともに、この電子番組ガイドＥＰＧの中に図４のテーブル２０、図５のテーブル２１、図６のテーブル２８等に合うような送出用のフォーマットに合ったテーブルを作る。作成されたテーブル２０，２１，２８は、変調器４４に入り、高周波電力増幅部４５で高周波電力増幅されて、放送に足りる送信出力に増幅されてアンテナ４６に送られる。
一方、映像・音声変調済高周波は、やはりアンテナ４６に送られて、アンテナ４６からは、高周波電力増幅されたテーブルを含むＥＰＧ情報と、映像や音声の情報が送出される。
【００３３】
図８は、図７の放送波の送出装置４０とは異なり図８の放送波の送出装置５０は、デジタル化した映像や音声とともに、テーブルを含むＥＰＧ情報を送るようになっている。
図８の入力装置５１からは、データが入力されて、データベース５２に蓄えられる。送出テーブル生成部５３は、データベース５２からのデータを読み取り、電子番組ガイドＥＰＧを作るとともに、送出のフォーマットに合ったテーブル、たとえば図４のテーブル２０、図５のテーブル２１、図６のテーブル２８等を生成する。生成された各テーブルは、パケット化部５３Ａでパケット化されて、マルチプレクサ５３Ｂに送られる。
一方、パケット化されたデジタル映像・音声信号は、マルチプレクサ５３Ｂに入力されるので、マルチプレクサ５３Ｂは、パケット化されたテーブルを含むＥＰＧ情報と、デジタル映像・音声信号を、変調器５４に送って変調後に高周波電力増幅部５５で放送に足りる送信出力に増幅された後に、アンテナ４６から送出されることになる。
【００３４】
図９と図１０は放送波の受信装置の例を示している。図９は、たとえば図１の地上波放送システムにおいて、図２の視聴者が使用する放送波の受信装置の一例を示している。この放送波の受信装置６０は、たとえばアナログ放送の場合に用いることができる。受信装置６０は次のような構造になっている。アンテナ６１で受信した放送波ＢＷ（電波）は、チューナ６２に送られる。アンテナ６１から入った放送波ＢＷは、このチューナ６２でホストプロセッサ６３からの指示による特定の周波数の電波が選択される。図４〜図６のテーブル２０，２１，２８を取得する場合には、チューナ６２が放送波ＢＷの中からテーブルの存在する周波数を選択する。
チューナ６２からの選択された電波が復調部６４に入り復調後に選択済みの信号は、映像信号抽出部６５において映像信号６６が抽出されてスクリーン表示の重畳（スーパーインポーズ）部６７を通り映像信号ＶＳとなる。
復調部６４からの信号は、音声復調部６８によって音声信号ＡＳになる。
映像信号ＶＳと音声信号ＡＳはたとえばテレビジョン受像機６９に送られる。また音声信号ＡＳは、ラジオのような音声信号再生器７０に送られる。
【００３５】
一方、復調部６４から出る選択された信号の中の図４、図５、図６のテーブル２０，２１，２８に関する信号は、デスクランブラ部７１において、受信制限解除のためのデスクランブル処理が行なわれて、デジタル信号になる。その後テーブルに関するデジタル信号はデマルチプレクサ７２により、その時必要なテーブルの信号が復調されて、ホストプロセッサ６３とＥＰＧ処理プロセッサ７３に送られる。
ホストプロセッサ６３はチューナ６２、デスクランブラ部７１、デマルチプレクサ７２及びＥＰＧ処理プロセッサ７３に処理信号を送ることができる。また、ホストプロセッサ６３は郵便番号あるいは電話番号を入力する入力部７４に接続されている。
デマルチプレクサ７２から出力されるテーブルに関するデジタル信号は、コンピュータ７４Ａに送ることで、コンピュータ７４Ａはプリンタ７５を用いて図４、図５、図６に示すようなテーブル２０，２１，２８をプリントアウトすることができるし、これらのテーブルをモニタ７６に表示することもできる。
【００３６】
テーブルに関するデジタル信号は、ホストプロセッサ６３によりその内容が解析されて、選曲、ＥＰＧ表示等に使われる表示用のデジタル信号を作る。この表示用のデジタル信号は、ホストプロセッサ６３からＥＰＧ処理プロセッサ７３を介してスクリーン表示重畳部６７に送られる。
スクリーン表示重畳部６７は、映像信号抽出部からの映像信号６６と、その選曲やＥＰＧ表示に使われるデジタル信号とをスーパーインポーズすることで、たとえば映像信号ＶＳを形成してテレビジョン受像機６９に送る。テレビジョン受像機の画面では、この映像信号ＶＳに基づいて、たとえば現在受信している映像の上に図４のテーブル２０や、図５のテーブル２１あるいは図６のテーブル２８をスーパーインポーズして表示することができる。
【００３７】
図１０は、図９の場合と異なり、別のデジタル放送波の受信装置８０を示している。このデジタル放送波の受信装置８０は、アンテナ８１に受信した放送波ＢＷを、フロントエンド部８２のチューナ８３において、ホストプロセッサ６３からの指令による特定の周波数の電波を選択する。チューナ８３で選択された電波は、復調部８４で復調される。テーブルを取得する場合には、テーブルの存在する周波数をチューナ８３が選択することになる。
映像信号、音声信号及びテーブルの信号が復調部８４で復調された後に、トランスポート部８５のデスクランブラ部８６に入ってデジタル信号になり、デマルチプレクサ８７に入る。チューナ８３とデスクランブラ部８６とデマルチプレクサ８７は、ホストプロセッサ６３の指令により動作する。
【００３８】
デマルチプレクサ８７からの映像に関するデジタル信号は、ＭＰＥＧ（Ｍｏｖｉｎｇ  Ｐｉｃｔｕｒｅ  Ｅｘｐｅｒｔｓ  Ｇｒｏｕｐ）デコード部８８のビデオデコーダ８９でデコードされた後に、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ：テレビジョンの標準方式の１つ）エンコーダ９０でエンコードされて映像信号ＶＳとなりテレビジョン受像機に供給される。
デマルチプレクサ８７からの音声に関するデジタル信号は、オーディオデコーダ９１でデコードされた後、Ｄ／Ａ変換器９２においてデジタル／アナログ変換されて音声出力ＡＳとなってテレビジョン受像機６９に供給される。
テーブルに関するデジタル信号は、コンピュータ７４Ａに供給され、コンピュータ７４Ａはプリンタ７５を用いてテーブル２０，２１，２８等をプリントアウトすることができるとともにモニタ７６に表示することもできる。
ホストプロセッサ６３は、郵便番号あるいは電話番号の入力部７４を有している。
【００３９】
またテーブルに関するデジタル信号は、ＭＰＥＧデコード部８８のＥＰＧ処理プロセッサ９３に入り、ホストプロセッサ６３でその内容が解析されて、選曲やＥＰＧ表示等に使われるデジタル信号になって、ＮＴＳＣエンコーダ９０に送られる。ＮＴＳＣエンコーダ９０は、ビデオデコーダ８９側の映像に関するデジタル信号と、ＥＰＧ処理プロセッサ９３からのテーブルに関するデジタル信号をスーパーインポーズして映像出力ＶＳとして出力することができる。
【００４０】
図９と図１０において、ホストプロセッサ９３には郵便番号あるいは電話番号入力部７４が設定されている。
視聴者（ユーザ）は、この郵便番号あるいは電話番号入力部７４から、たとえば図５に示すテーブル２８を参照しながら、視聴者の住んでいる場所の郵便番号を入力したりあるいは視聴者の自宅の電話番号を入力することで、ホストプロセッサ６３は、放送波の受信装置６０あるいは８０が、どの視聴地域に設置されているかを受信装置６０あるいは８０自体に認識させる。たとえば視聴者が図５のテーブル２８における視聴地域ＡＲ１に対応する郵便番号あるいは電話番号を入力部７４で入力するだけで、ホストプロセッサ６３は、どの視聴地域ＡＲにこの受信装置６０あるいは８０が設置されているのかを自動的に認識することができる。
あるいはＩＣカード７９を挿入してホストプロセッサ６３にある種の番号等を入力することで、受信装置に対してどの場所に設定しているかを指示してもよい。
つまり、受信装置６０あるいは８０では、図６の視聴地域に合ったテーブル２８からどの放送塔あるいは中継器を使うのかなどを知ることができるので、図５のテーブル２１と図４のテーブル２０を参照しながら、視聴者の現在用いている受信装置が受信できる放送局の名称、送信チャンネル番号がいくつで、送信周波数がいくつで、放送塔や中継器の住所等を受信装置に自動的に設定する。
【００４１】
図１１は、図１とは異なり、地上波の放送だけではなく、放送局Ａ，Ｂ，Ｃは、放送塔ＴとパラボラアンテナＰＡに放送内容を含む放送波ＢＷを供給する。放送塔ＴあるいはパラボラアンテナＰＡは、放送波ＢＷを送出するが、パラボラアンテナＰＡが送出した放送波ＢＷは、放送衛星１０１のトランスポンダ１０２で中継して、たとえば視聴地域ＡＲ１０のパラボラアンテナＰＡ１と、視聴地域ＡＲ１１のパラボラアンテナＰＡ１に、放送波ＢＷを送ることができる。
これに対して、放送塔Ｔから送出された放送波ＢＷは、視聴地域ＡＲ１０とＡＲ１１のアンテナ６１，８１に受信させることができる。
このように、パラボラアンテナＰＡから送出された放送波ＢＷはトランスポンダ１０１を中継して、各家庭のパラボラアンテナＰＡ１に受信できる。放送塔Ｔから送出された放送波ＢＷは、直接視聴地域ＡＲ１０のアンテナ６１，８１に送出するかあるいは山Ｍ１の中継器８を介して、視聴地域ＡＲ１１の各アンテナ６１，８１に送ることができる。この場合の送出装置は、図７と図８の送出装置４０，５０を用いることができる。
【００４２】
図１に示す地上波で送る場合には、中継器を通っても、情報が確実に伝搬されなければならない。しかしアナログ用の中継器で伝送する場合には、中継器を何段も通ると、徐々に歪が増えて、情報が失われてしまうことがある。またテレビジョン受像機のプリセットを行なう場合であっても、電波が受信できている必要があるが、最寄りの電波の送出場所（放送塔や中継器）が判明するまでは、これを受信することができない。
この点放送衛星等を用いる場合どこの地点に居ても、同じ放送波（電波）が確実に受信できるので、このようなことがなくなる。
【００４３】
図１２は、図１１のデジタル化した放送の受信システムに用いられる受信装置１６０の例を示している。受信装置１６０は、図９に示した放送波の受信装置６０に加えて、放送衛星１０１のトランスポンダ１０２からの放送波ＢＷを受けるための受信用のパラボラアンテナＰＡ１と、周波数コンバータ１１１及びフロントエンド部１１２が、追加されている。つまりトランスポンダ１０２を中継されてきた放送波ＢＷは、パラボラアンテナＰＡ１で受信して、周波数コンバータ１１１で周波数変換が行なわれて、フロントエンド部１１２のキャリア選択部１１３に入る。キャリア選択部１１３では、必要なキャリアの選択が行なわれて、復調部１１４に送られる。そして復調部１１４から復調信号が、デスクランブラ部７１とチューナ６２に送られる。この後の処理は、チューナ６２で受信した放送波についての図９の処理とほぼ同じであるのでその説明を援用する。
【００４４】
以上のようにして、地上波あるいは放送衛星による衛星放送波を用いたりあるいはＣＡＴＶの放送波等を利用しても、本発明は適用できる。
【００４５】
たとえば図９や図１０あるいは図１２と図１３において、ホストプロセッサ６３に対して入力部７４から電話番号あるいは郵便番号を視聴者が入力することにより、その視聴地域に合った電子番組ガイドＥＰＧにおけるテーブル２１，２０を作ることができる。この場合に電話番号あるいは郵便番号を入力することで、図６を参照すれば、視聴地域やどの中継器を使っているかが簡単に分かり、しかもその視聴地域の名称も確認することができる。
また郵便番号や電話番号を入力することにより、受信装置の初期化が自動的に行なえる。すなわち、受信装置に対して、その受信装置がどこに設置されているかを自動初期設定できる。もともとテレビジョン受信機では、ユーザが見ることができる周波数とポジション番号を合せる操作が必要であるが、これを自動で初期することができる。これに加えて、ＥＰＧが入った場合どのポジション番号がどの放送局のＥＰＧかを合せる必要があるが、これらが自動で行えるようになる。
【００４６】
本発明の実施の形態では、放送波に関する電子番組ガイドを、放送内容供給源から放送内容受信側に送る際に、放送波の中継器を含む放送波の送出施設と放送内容供給源との関係を記述したテーブルを、放送波に関する電子番組ガイドに含ませている。
これにより、電子番組ガイドでは、放送内容受信側は放送波の中継器を含む放送波の送出施設と放送内容供給源との関係をテーブルによって明確に知ることができる。
【００４７】
本発明の実施の形態において、好ましくはテーブルには、放送内容供給源の送信周波数と送信チャンネル番号の内の少なくとも一方をさらに含ませるようにしているので、放送波が送られてくる関連情報をテーブルにおいて放送内容受信側に明らかにすることができる。
本発明の実施の形態において、好ましくはテーブルには、放送波の中継器を含む放送波の送出施設の場所を表わす情報をさらに含むもので、テーブルを見れば放送内容受信側はさらに多くの放送波に関する情報を得ることができる。
【００４８】
本発明の実施の形態では、放送波に関する電子番組ガイドを、放送内容供給源から放送内容受信側に送る際に、放送内容供給源の送信周波数と送信チャンネル番号の内の少なくとも一方を含むテーブルを、放送波に関する電子番組ガイドに含む。
これにより、放送内容供給源の送信周波数と送信チャンネル番号の内の少なくとも一方を放送内容受信側がテーブルで確認できるので、放送波に関する情報をより確実に得ることができる。
【００４９】
本発明の実施の形態では、放送波に関する電子番組ガイドを、放送内容供給源から放送内容受信側に送る際に、放送波の中継器を含む放送波の送出施設と放送内容受信側が視聴可能な地域との関係を含むテーブルを、放送波に関する電子番組ガイドに含む。
これにより、放送波の中継器を含む放送波の送出施設と、放送内容受信側が視聴可能な地域との関係の情報を確実に得ることができる。
本発明の実施の形態において、好ましくはテーブルには放送波の中継器を含む放送波の送出施設の場所を表わす情報をさらに含むもので、放送波に関する情報はさらに詳しく知ることができる。
【００５０】
本発明の実施の形態では、放送波に関する電子番組ガイドを放送内容供給源から放送内容受信側に送る場合に、放送波の中継器を含む放送波の送出施設と放送内容供給源との関係を記述したテーブルを、放送波に関する電子番組ガイドを受信する際に、放送内容供給源から判明する受信チャンネル番号を受信装置において設定する。これにより、受信装置において、放送内容供給源に合った送信チャンネル番号を自動的に設定することができる。
本発明の実施の形態において、好ましくは、視聴可能な地域にあった電子番組ガイドを表示するようにすれば、放送内容受信側はその視聴可能な地域にあった正確な電子番組ガイドを利用することができる。
【００５１】
本発明の実施の形態では、放送波に関する電子番組ガイドを、放送内容供給源から放送内容受信側に送る場合に、放送内容供給源の送信周波数と送信チャンネル番号の内の少なくとも一方を含むテーブルを、放送波に関する電子番組ガイドを含み、その電子番組ガイドを受信する際に、送信チャンネル番号を受信装置に設定する。
これにより、受信装置は、送信チャンネル番号を自動的に設定することができる。
本発明の実施の形態において、好ましくは、視聴可能な地域にあった電子番組ガイドを表示することができるので、放送内容受信側は、視聴可能な地域にあった正確な電子番組ガイドを見ることができる。
【００５２】
本発明の実施の形態において、放送波に関する電子番組ガイドを放送内容供給源から放送内容受信側に送る場合に、放送波の中継器を含む放送波の送出施設と放送内容受信側が視聴可能な地域との関係を含むテーブルを、放送波に関する電子番組ガイドに含みその電子番組ガイドを受信する際に、放送波の中継器を含む放送波の送出施設から判明する送信チャンネル番号を受信装置に設定する。これにより、送信チャンネル番号を自動的に設定することができる。
本発明の実施の形態において、好ましくは、視聴可能な地域にあった電子番組ガイドを表示するようにすれば、放送内容受信側は、視聴可能な地域にあった正確な電子番組ガイドを見ることができる。
【００５３】
【発明の効果】
以上説明したように、本発明によれば、放送波に関する電子番組ガイドを、放送内容供給源から放送内容受信側に送る際に、放送波が送られてくる関連情報を確実に得て、その地域に合った電子番組ガイドを得ることができる。
【図面の簡単な説明】
【図１】本発明の放送波に関する情報供給方法と放送波を受信する受信装置が適用できる地上波放送のシステムの一例を示す図。
【図２】図１のシステムのブロック図。
【図３】地上波放送の他の例を示すブロック図。
【図４】電子番組ガイドに含まれている放送波の送出施設、中継器番号、中継器場所、放送内容供給源である放送局番号や送信チャンネル番号の覧や送信周波数の覧等を含むテーブルの一例を示す図。
【図５】電子番組ガイドに含まれる放送局番号、放送局名称、系列等を有するテーブルの一例を示す図。
【図６】電子番組ガイドに含まれる視聴地域番号、中継器番号、地域名称、郵便番号、電話番号等を含むテーブルの一例を示す図。
【図７】放送波の送出装置の一例を示す図。
【図８】放送波の送出装置の別の例を示す図。
【図９】放送波の受信装置の例を示す図。
【図１０】放送波の受信装置の別の例を示す図。
【図１１】地上波放送と衛星放送の併用した例を示すシステム図。
【図１２】図１１のシステムに適用される放送波の受信装置の例を示す図。
【符号の説明】
７，８・・・中継器、２０，２１，２８・・・テーブル、４０，５０・・・放送波の送出装置、６０，１６０，８０，１８０・・・放送波の受信装置、６１，８１・・・アンテナ、ＡＲ１，ＡＲ２，ＡＲ３，ＡＲ４・・・視聴地域、ＰＡ，ＰＡ１・・・パラボラアンテナ、Ｔ，Ｔ１，Ｔ２・・・放送塔（放送波の送出施設）
【図１】
0003941210.tif 000002
【図２】
0003941210.tif 000003
【図３】
0003941210.tif 000004
【図４】
0003941210.tif 000005
【図５】
0003941210.tif 000006
【図６】
0003941210.tif 000007
【図７】
0003941210.tif 000008
【図８】
0003941210.tif 000009
【図９】
0003941210.tif 000010
【図１０】
0003941210.tif 000011
【図１１】
0003941210.tif 000012
【図１２】
0003941210.tif 000013